(57)【特許請求の範囲】
【請求項１】
表示状態が変化可能な可変表示装置における表示結果を導出表示させ、該可変表示装置の表示結果が予め定められた特定の表示態様となった場合に所定の有価価値を遊技者に付与する等の遊技制御を司る制御装置が実装された制御基板が、開放可能な収納ケースにより収納された状態で本体に設けられたスロットマシンであって、
前記収納ケースの一端側には、該収納ケースを開放不能に固着するとともに前記本体に対して取り外し不能に取り付けるために用いられる第１の封止部と、該収納ケースのメーカーから店舗への輸送時及び店舗からメーカーへの輸送時に該収納ケースを開放不能に固着するために用いられる第２の封止部と、が並設され、更に前記収納ケースの他端側には、前記本体に設けられた取付部材に対して係脱可能な係止部が設けられており、
前記収納ケースは、前記本体への取付け時に前記係止部を前記取付部材に係止させた状態で前記第１の封止部と前記本体に設けられた固定部とを固着手段により固着し、メーカーから店舗への輸送時及び店舗からメーカーへの輸送時に前記第２の封止部を固着手段により固着するように構成されており、
固着手段による前記第１の封止部と前記固定部との固着後における前記収納ケースの開放、及び前記収納ケースの前記本体からの取り外しの際、前記固着された第１の封止部の破壊を伴うようになっているとともに、固着手段による前記第２の封止部の固着後における前記収納ケースの開放の際、該固着された第２の封止部の破壊を伴うようになっていることを特徴とするスロットマシン。
【請求項２】
前記第２の封止部は、メーカーから店舗への輸送時に用いられる出荷用の第２の封止部と、店舗からメーカーへの輸送時に用いられる返品用の第２の封止部と、からなり、
前記出荷用の第２の封止部及び返品用の第２の封止部は、一方が前記収納ケースの一端側の最上部に設けられ、他方が前記収納ケースの一端側の最下部に設けられている請求項１に記載のスロットマシン。
【請求項３】
前記収納ケースは、上部ケースと下部ケースとからなり、
前記第１の封止部と前記第２の封止部は、ともに前記上部ケースから外方に張り出す封止片からなり、
前記第１の封止部を構成する前記封止片の下方には、前記本体に設けられた前記固定部が位置するように構成され、前記第２の封止部を構成する前記封止片の下方には、前記下部ケースから外方に張り出す封止片が位置するように構成されている請求項１または２に記載のスロットマシン。
【発明の詳細な説明】
【０００１】
【発明の属する技術分野】
本発明は、スロットマシン遊技機に係わり、特に遊技機の遊技制御を司る制御基板に関わる不正行為の防止処理が施されたスロットマシンに関する。
【０００２】
【従来の技術】
従来、この種のスロットマシンは、一般的に前面が開放自在な筐体により構成されており、この筐体の内部には、各種装置の動作や、所定の有価価値を有する遊技媒体としてのコインの払出し等、遊技に関わる制御を司る制御装置（ＣＰＵ）等が実装された制御基板が設けられている。
【０００３】
近年においては、このように遊技に関わる制御を司る制御装置が実装される制御基板に不正な処理が施されたり、不正な改造が施された制御装置にすり替えられたりすることにより、不当に利益を得るといった不正行為が多発している。
【０００４】
このような不正行為が多発すると、店側は多大な損失を被ることになるため、制御基板への不正な処理を施しにくくするために、制御基板を収納ケースにより覆い、この収納ケースを筐体に対して取り付けるようにしている。
【０００５】
【発明が解決しようとする課題】
しかしながら、店側において制御基板のメンテナンス等が必要となる場合があることから、このような収納ケースは開放可能な構成とすることが多いが、これを容易に開放出来る構成にすると、筐体に取り付けられた状態で開放され、不正な処理を施される恐れがある。また、この収納ケースが筐体に対して容易に着脱出来る状態で取り付けられていると、制御基板が内蔵された収納ケースごとすり替えられてしまうことがあった。
【０００６】
そして、収納ケースを開放することで不正な処理を施すために収納ケースが一旦開放されたとしても、元通りに近い状態で閉塞されていたり、収納ケースごとすり替えるために筐体から取り外されたとしても、元通りに近い状態で取り付けられてしまうと、収納ケースが開閉されたことや、制御基板がすり替えられたことを外観上で判別することは非常に困難であり、店側は不正な処理が施された可能性があることが発見しにくく、長期にわたって不正行為が繰り返される危険性があった。
【０００７】
本発明は、このような問題点に着目してなされたものであり、制御基板への不正な処理や、制御基板ごとのすり替えを困難とするとともに、不正が行われた可能性をあることが容易に判別出来るようにしたスロットマシンを提供することを目的とする。
【０００８】
【課題を解決するための手段】
上記課題を解決するために、本発明のスロットマシンは、表示状態が変化可能な可変表示装置における表示結果を導出表示させ、該可変表示装置の表示結果が予め定められた特定の表示態様となった場合に所定の有価価値を遊技者に付与する等の遊技制御を司る制御装置が実装された制御基板が、開放可能な収納ケースにより収納された状態で本体に設けられたスロットマシンであって、
前記収納ケースの一端側には、該収納ケースを開放不能に固着するとともに前記本体に対して取り外し不能に取り付けるために用いられる第１の封止部と、該収納ケースのメーカーから店舗への輸送時及び店舗からメーカーへの輸送時に該収納ケースを開放不能に固着するために用いられる第２の封止部と、が並設され、更に前記収納ケースの他端側には、前記本体に設けられた取付部材に対して係脱可能な係止部が設けられており、
前記収納ケースは、前記本体への取付け時に前記係止部を前記取付部材に係止させた状態で前記第１の封止部と前記本体に設けられた固定部とを固着手段により固着し、メーカーから店舗への輸送時及び店舗からメーカーへの輸送時に前記第２の封止部を固着手段により固着するように構成されており、
固着手段による前記第１の封止部と前記固定部との固着後における前記収納ケースの開放、及び前記収納ケースの前記本体からの取り外しの際、前記固着された第１の封止部の破壊を伴うようになっているとともに、固着手段による前記第２の封止部の固着後における前記収納ケースの開放の際、該固着された第２の封止部の破壊を伴うようになっていることを特徴としている。
この特徴によれば、制御基板が収納ケースにより覆われた状態で本体に固着されることにより、制御装置等への不正を困難とすることが出来るとともに、固着手段により収納ケースが開放不能に、かつ本体に取り外し不能に取り付けられると、収納ケースを開放したり本体から取り外す際には、収納ケースの一部が破壊されて機械的な変形を伴うことにより痕跡が確実に残ることになるため、不正が行われた可能性があることが外部から直ちに発見出来るようになり、不正行為を効果的に抑制出来ることになる。また、収納ケースの係止部を係止させ、第１の封止部及び固定部を固着手段により固着するのみで、収納ケースを筐体に対して取り外し不能に取り付け出来るため、取付けの作業性が向上する。また、例えば、メーカーから店舗への出荷時や店舗からメーカーへの返品時等において収納ケースを開放不能な状態とすることができるので、スロットマシンの本体と収納ケースとを別送する場合でも、制御基板を収納ケースに収納した状態で安全に輸送できる。
【０００９】
本発明のスロットマシンは、前記第２の封止部は、メーカーから店舗への輸送時に用いられる出荷用の第２の封止部と、店舗からメーカーへの輸送時に用いられる返品用の第２の封止部と、からなり、
前記出荷用の第２の封止部及び返品用の第２の封止部は、一方が前記収納ケースの一端側の最上部に設けられ、他方が前記収納ケースの一端側の最下部に設けられていることが好ましい。
【００１０】
本発明のスロットマシンは、前記収納ケースは、上部ケースと下部ケースとからなり、
前記第１の封止部と前記第２の封止部は、ともに前記上部ケースから外方に張り出す封止片からなり、
前記第１の封止部を構成する前記封止片の下方には、前記本体に設けられた前記固定部が位置するように構成され、前記第２の封止部を構成する前記封止片の下方には、前記下部ケースから外方に張り出す封止片が位置するように構成されていることが好ましい。
【００１６】
【発明の実施の形態】
以下、本発明の実施の形態を図面に基づいて詳細に説明する。まず図１には、本発明が適用されたスロットマシン１の正面図が示されている。スロットマシン１の前面の所定箇所には表示窓２が設けられており、この表示窓２の内側には、可変表示装置３（図２参照）によって可変表示される図柄等の識別情報を遊技者に視認させるための左可変表示部５Ｌ、中可変表示部５Ｃ、右可変表示部５Ｒが、それぞれに上下３段に図柄を可変表示可能に構成されている。
【００１７】
遊技者が遊技を行なう場合には、まず有価価値の一例としてのコインをコイン投入口４から投入するか、あるいは、所定数以上のコインの投入することにより蓄積され、クレジット表示器６に表示されたクレジットを使用することにより、ゲームにおける賭数を設定する。なお、クレジットを使用する場合はクレジット操作ボタン７を押圧操作することにより賭数が設定され、クレジット表示器６には賭数分が減算表示される。
【００１８】
コインが１枚以上投入されると、スタートランプ８が点灯され、スタートレバー９を押圧操作可能であるスタート状態になった旨が示されるとともに、可変表示部５Ｌ、５Ｃ、５Ｒにおける所定の有効ラインが投入されたコインの枚数（賭数）に応じて有効化され、有効ライン表示ランプ１０が点灯してそのラインが有効である旨が遊技者に報知される。
【００１９】
スタートレバー９を押圧操作すれば、可変表示装置３により後述する各リールが回転することによりゲームが開始され、各可変表示部５Ｌ、５Ｃ、５Ｒにおいて複数種類の図柄が可変表示される。そして遊技者が所望の停止ボタン１１Ｌ、１１Ｃ、１１Ｒを押圧操作すれば、そのボタンに対応したリールが停止する。なお、１２Ｌ、１２Ｃ、１２Ｒはそれぞれ左操作有効ランプ、中操作有効ランプ、右操作有効ランプであり、それぞれに対応する停止ボタン１１Ｌ、１１Ｃ、１１Ｒの押圧操作を有効に受付ける状態になった旨を点灯または点滅表示し、停止ボタン１１Ｌ、１１Ｃ、１１Ｒの押圧操作に対応して消灯する。停止ボタン１１Ｌ、１１Ｃ、１１Ｒを押圧操作する順序は不定であり、遊技者が任意に選択することができる。
【００２０】
そして、可変表示装置３の停止時、すなわち全てのリールが停止した状態において、各可変表示部５Ｌ、５Ｃ、５Ｒにおける所定の有効ライン上に所定の図柄の組み合わせが停止され、予め定められた特定の表示態様となった場合、その表示態様に応じて予め定められた大きさの有価価値の付与が可能な状態となり、例えば所定枚数のコインの払出しや、クレジットの加算がなされる。また、特に予め定められた特別の表示態様となった場合には、コインの払出しが行なわれるとともに、通常のゲームよりも大きな利益が得られる、いわゆるビッグボーナスゲームやレギュラーボーナスゲームが開始されるようになっている。
【００２１】
また、１３はクレジットされた有価価値を遊技者に払い戻す場合に操作するための精算ボタンであり、この精算ボタン１３を押圧操作することにより、クレジット表示器６に表示された枚数分のコインが遊技者に返却されるようになっている。１４はゲーム回数表示器であり、後述するビッグボーナスゲームカウンタやボーナスゲームカウンタの値を表示し、現在実行しているビッグボーナスゲームやボーナスゲームの回数を切替表示し得るように構成されている。１５は払出数表示器であり、入賞が成立した場合に付与されるコイン枚数を表示するためのものである。
【００２２】
次に本実施例におけるスロットマシン１の構造を図１、図２に基づいて説明する。スロットマシン１の筐体は、前面が開口する箱状の本体部１ａと、本体部１ａの側端に回動自在に枢支された前面パネル１ｂとからなり、施錠装置１６に所定のキーを挿入して時計回り方向に回動操作することにより施錠が解除されて前面パネル１ｂが開成可能状態となる。
【００２３】
可変表示部５の周辺には遊技効果ランプ１７が複数設けられており、ビッグボーナスゲームやボーナスゲームの発生時に点灯または点滅表示される。また、１８はゲームオーバランプであり、スロットマシンが打止（ゲームオーバ）になったときに点灯または点滅表示される。
【００２４】
本体部１ａ内略中央部には、シート部材からなる複数（本実施例では３個）のリール１９Ｌ、１９Ｃ、１９Ｒを有する可変表示装置３が設けられている。それぞれのリール１９Ｌ、１９Ｃ、１９Ｒは、各々に対応して設けられたステッピングモータからなるリール駆動モータ２０Ｌ、２０Ｃ、２０Ｒにより、それぞれ独立して回転、停止するように構成されている。各リール１９Ｌ、１９Ｃ、１９Ｒの外周には、複数種類のシンボルからなる識別情報が描かれており、これらシンボルが可変表示領域を構成する各可変表示窓５Ｌ、５Ｃ、５Ｒにおいて可変表示されるように構成されている。２１Ｌ、２１Ｃ、２１Ｒは各リールの基準位置を検出するリール位置検出センサであり、このリール位置検出センサ２１Ｌ、２１Ｃ、２１Ｒにより所定のシンボルの停止位置を導出出来るようになっている。
【００２５】
可変表示装置３の下方には、コイン投入口４より投入されたコインを貯留するコイン貯留タンク２２が、本体部１ａを構成する下板上面に固設された案内レール２３を介して前方に引き出し可能に配設されている。コイン貯留タンク２２の下方部分にはコイン払出モータ２４が設けられており、このコイン払出モータ２４が回転することにより、コイン貯留タンク２２内のコインがコイン払出口２５から前面パネル１ｂの前面下部に設けられたコイン貯留皿２６内に排出される。排出されたコインは、コイン払出口２５の近傍に設けられる払出しコインセンサ２７により検出され、所定枚数の払出コインが検出された時点でコイン払出モータ２４が停止制御される。
【００２６】
コイン貯留タンク２２の側部には、前面に入賞確率を変更可能とする確率設定スイッチ２８、電源スイッチ２９、ビッグボーナスゲームの終了時や遊技中にエラーが生じた場合等において再びゲームを続行可能な状態にリセットするためのリセットスイッチ３０等が配設された電源ユニット３１が配設されている。これら各スイッチは、遊技場の管理者等が所持する特定のキーを電源ユニット３１の前面上部に設けられたキー差込口３２に挿入して所定のキー操作を行なうことで操作可能となるように構成されている。
【００２７】
本体部１ａにおける可変表示装置３の上部には、前述したような各種装置の制御を行う制御装置（図示略）が実装された制御基板４０が内蔵された収納ケースが、後述する方法にて取り付けられている。
【００２８】
なお、制御基板４０は、詳しくは、スロットマシン１の各種動作を制御する機能を有しており、その中には、特に詳細な図示はしないが制御動作を所定の手順で実行することのできるＣＰＵや、ＣＰＵの動作プログラムを格納するＲＯＭ、必要なデータの書込みおよび読出しができるＲＡＭや、遊技に関わる遊技制御、及び図示しない通信ケーブル等を介してホール内に設置される管理コンピュータとのデータ通信を行うための通信ユニット等が設けられており、異常信号や遊技情報等の授受を管理コンピュータとの間で行うこと等が出来るようになっている。
【００２９】
次に、本実施例における制御基板４０を収納するための収納ケース５０の構成を、以下図面に基づいて説明する。
【００３０】
まず図３、図４に示されるように、収納ケース５０は、平面視で横長矩形状に形成される制御基板４０よりも若干大寸に形成され、下面が開口する略箱形の上部ケース５１と、上面が開口する略箱形の下部ケース５２とから構成されており、これら上部ケース５１及び下部ケース５２は、それぞれ透明な樹脂材により成形されている。
【００３１】
下部ケース５２の底板５２ａの上面四隅には支柱５３がそれぞれ突設されており、上部ケース５１の開口と下部ケース５２の開口とを互いに付き合わせた時に、上部ケース５１の下面四隅に形成された下向きの凹部５８が支柱５３の先端に嵌合され、上部ケース５１と下部ケース５２との位置ずれが防止されるようになっている。
【００３２】
これら各支柱５３には、制御基板４０の四隅にそれぞれ形成される孔部５４が挿通されるようになっているとともに、その外周所定高さ位置には、制御基板４０の下面における孔部５４近傍を係止可能な段部５３ａが形成されており、制御基板４０を下部ケース５２における所定高さ位置に支持出来るようになっている。また、下部ケース５２の側板５２ｂ内面には、上下方向を向くリブ５５が複数形成されており、支柱５３の段部５３ａに四隅が支持された制御基板４０の端縁部下面所定箇所がリブ５５の上端に支持されるようになっている。
【００３３】
下部ケース５２における短寸の側板５２ｃ、５２ｃ’における長手方向両端には、上面に開口５７が形成された凸部材５６、５６’がそれぞれ外向きに突設されている。図３中左側の凸部材５６の外側面には、後述する本体部１ａの取付部材に対して係止可能な係止ピン５９が図中上下方向に向けてそれぞれ突設されている。また、図３中右側の凸部材５６’の外側面には、後述する本体部１ａの取付部材に対して係脱自在な側面視略Ｕ字状をなす係合片６０が図中右側に向けて突設されている。この係合片６０は弾性変形可能に構成されているとともに、外面所定箇所には取付部材に係合する係合凸部６０ａが形成されている。
【００３４】
また、側板５２ｃ、５２ｃ’それぞれにおける凸部材５６、５６及び凸部材５６’、５６’の間には、特に図３及び図５に示されるように、上部ケース５１と下部ケース５２とを開放不能な状態で固着する固着手段及び、後述するように本体部１ａに対して取り外し不能に取り付けるための取付手段を兼ねるワンウェイネジ６１が、上下方向に貫通するように螺入されるネジ孔６２が形成された複数（本実施例においては図中左右側にそれぞれ６つずつ）の封止片６３と、ワンウェイネジ６１が、上下方向に貫通するように挿通される貫通孔６４が形成された複数（本実施例においては図中左右側にそれぞれ６つずつ）の保持片６５とが、それぞれ側板５２ｃ、５２ｃ’より外方に張り出すように交互に突設されている。
【００３５】
なお、このワンウェイネジ６１は従来公知のものが使用されており、特に詳細な図示はしないが、一方向のねじ込みしか出来ず、すなわち、一度ねじ込むと逆方向に回して取り外すことが出来ない構成とされている。
【００３６】
上部ケース５１における短寸の側板５１ｃ、５１ｃ’における長手方向両端には、先端に外向きの係止爪６６ａが形成された下向きＬ字形の係止片６６が形成されている。この係止片６６は弾性変形可能に形成されており、図４に示されるように、上部ケース５１と下部ケース５２とを、互いに開口を付き合わすように閉塞した際に、先端が弾性変形して開口５７内に挿入され、係止爪６６ａが凸部材５６、５６’における開口５７縁部下面に係止されるようになっている。この係止作用により、上部ケース５１及び下部ケース５２が閉塞状態で保持される。
【００３７】
側板５１ｃ、５１ｃ’それぞれにおける係止片６６、６６間には、特に図３及び図５に示されるように、ワンウェイネジ６１の頭部を収容可能な凹部６７及びネジ部を挿通可能とする貫通孔６８が形成された封止片６９が、収納ケース５０の閉塞時において、各封止片６３の上方に位置するように設けられている。また、これら複数の封止片６９の間には、保持片６５の貫通孔６４の上方から挿通されたワンウェイネジ６１の上方への逸脱を規制する規制片７０が、収納ケース５０の閉塞時において各保持片６５の上方に位置するとともに、その下面が保持片６５の上面と離間するように設けられている。
【００３８】
また、上部ケース５１には、制御基板４０に実装されたコネクタ７１を挿通可能な開口部７２が、図３中左右側における所定箇所に形成されており、収納ケース５０の閉塞時において、コネクタ７１の上端が上部ケース５１の上面よりも上方に突出されるようになっている。なお、これら上部ケース５１及び下部ケース５２には放熱用の複数の孔部７３が所定箇所に形成されている。
【００３９】
次に、このように構成された収納ケース５０による制御基板４０の収納、及び本体部１ａへの取付け方法を説明する。
【００４０】
ここで、本実施例においては、メーカーからの出荷時において、全ての保持片６５の貫通孔６４にワンウェイネジ６１を挿通し、かつ、前述したように制御基板４０を下部ケース５２に収納した状態で、例えば図３中の収納ケース５０における左側最上部及び右側最下部の封止片６９、６３にワンウェイネジ６１が後述するように螺入され、上部ケース５１及び下部ケース５２が開放不能に固着されているため、これらワンウェイネジ６１が螺入された封止片６９、６３を切断して収納ケース５０を開放した状態にあるものとして以下固着方法を説明する。
【００４１】
まず、後述するように、収納ケース５０の左右側所定箇所を１箇所ずつ固着するために必要なワンウェイネジ６１を、上記切断された封止片６９、６３に隣接する保持片６５の貫通孔６４から予め抜いておく。なお、図３中の収納ケース５０における右側最上部及び左側最下部の保持片６５の貫通孔６４に挿通されたワンウェイネジ６１は、例えばメーカーへの返品時等において使用されるため、本体部１ａへの取付け固着時においてはこれ以外の貫通孔６４に挿通されているワンウェイネジ６１を使用することとしている。
【００４２】
次に図４に示されるように、上部ケース５１及び下部ケース５２を、互いの開口を付き合わせるようにして閉塞する。この閉塞時において、下部ケース５２に配設された制御基板４０の上方に突出する各支柱５８の先端が各凹部５８内に嵌合されるとともに、各係止片６６の先端が開口５７内に挿入されて開口５７の縁部に係止爪６６ａが弾性的に係止されることで、上部ケース５１と下部ケース５２とが閉塞状態で保持される。なお、ここで係止片６６を変形させて係止爪６６ａと開口５７の縁部との係止を解除すれば、収納ケース５０を再度開放することが出来る。
【００４３】
この状態において、封止片６３のネジ孔６２と封止片６９の貫通孔６８とが合致されるとともに、保持片６５に保持されたワンウェイネジ６１の上方に規制片７０が位置し、その逸脱が規制される。
【００４４】
そして図４及び図５中における上部ケース５１の左側の所定の封止片６９（ここではワンウェイネジ６１を挿通しなかった保持片６５に対応する封止片）の上方よりワンウェイネジ６１を貫通孔６８に挿通し、ネジ孔６２に螺入する。
【００４５】
本体部１ａの背面板７４上部には、図６及び図７（ａ）、（ｂ）に示されるように、収納ケース５０を取り付けるための取付部材７５、７６がそれぞれ固着されており、これら取付部材７５、７６に収納ケース５０を取付け出来るようになっている。
【００４６】
取付部材７５は、図７（ａ）に示されるように、収納ケース５０の係止ピン５９を挿通可能な略Ｌ字状の切欠溝７７が前端部に形成された取付片７５ａを有するとともに、その基板７５ｂが背面板７４の前面にリベット７８を介して取り外し不能に固着されている。
【００４７】
取付部材７６は、図７（ｂ）に示されるように、収納ケース５０の係止片６６の係止爪６６ａが係合可能な係合穴７９が上下に形成された上下方向を向く取付片７６ａを有するとともに、その基板７６ｂが背面板７４の前面にリベット７８を介して取り外し不能に固着されている。また、基板７６ｂには、図７（ｂ）及び図８に示されるように、収納ケース５０の取付け時において、各封止片６３のネジ孔６２と合致するネジ孔８０が設けられた略Ｌ字状の固定片８１が形成されて複数形成されている。
【００４８】
なお、前述したように、図３中の収納ケース５０の左右側における最上部及び最下部の封止片６９、６３は、上部ケース５１と下部ケース５２との閉塞にのみ使用されるように設定されているため、固定片８１は、収納ケース５０の右側における最上部及び最下部の封止片６９、６３を除く中央よりの４つの封止片６９、６３に対応する分のみ設けられている。
【００４９】
このように背面板７４に固着された取付部材７５、７６を介して収納ケース５０を固着するには、図６に示されるように、まず上下の係止ピン５９を切欠溝７７内に前方から差し込んだ後、この係止ピン５９を中心に収納ケース５０における図中右側を回動させるようにして取付部材７５に押し込む。すると係止片６６の係止爪６６ａが係合穴７９に弾性係合され、収納ケース５０が取付部材７５、７６により取付け状態で保持される。
【００５０】
この状態において、特に図８に示されるように、取付部材７６の各固定片８１の上面と各封止片６３の下面とが当接され、互いのネジ孔６２とネジ孔８０とが合致された状態となるため、図６に示されるように、本体部１ａの前方より、収納ケース５０の右側の所定の封止片６９（ここではワンウェイネジ６１を挿通しなかった保持片６５に対応する封止片）の上方よりワンウェイネジ６１を貫通孔６８に挿通し、ネジ孔６２を介してネジ孔８０に螺入する。
【００５１】
このように、固着手段を兼ねる取付手段としてのワンウェイネジ６１が貫通孔６８を挿通してネジ孔６２に螺入されることにより、上部ケース５１と下部ケース５２とが閉塞状態で開放不能に固着されるとともに、さらにワンウェイネジ６１がネジ孔８０まで螺入されることにより、本体部１ａに固着された取付部材７６に対して取り外し不能に取付けられることになる。そしてこの状態において、収納ケース５０の左側は、係止ピン５９が略Ｌ字状の切欠溝７７の奥方まで挿通され、切欠溝７７からの逸脱が不能となるので、収納ケース５０は、開放不能に、かつ、取付部材７５、７６を介して本体部１ａの背面板７４に対して取り外し不能に固着されることになる。
【００５２】
この状態にて収納ケース５０を開放しようとする場合や、収納ケース５０を取付部材７５、７６から取り外そうとする場合、ワンウェイネジ６１を取り外すことは困難であるため、これらワンウェイネジ６１の螺入された封止片６９及び６３を切り離して切断する等、破壊するなどしない限り取り外すことは困難であるため、不正行為を効果的に抑制出来るばかりか、仮に取り外された場合にあっても、封止片６９、６３等が切り離されるなどして破壊等による機械的変形を伴う構成とされていることからその痕跡が確実に残るため、不正行為が行われた可能性があることが外観上から容易に判断することが可能となる。
【００５３】
また、本実施例においては、収納ケース５０の一端側を、固着手段としてのワンウェイネジ６１にて開放不能に固着した状態で取付部材７５に係止し、この状態で他端側を取付手段としての１本のワンウェイネジ６１にて開放不能に、かつ、取付部材７６の固定片８１に取り外し不能な状態で取り付ければ、収納ケース５０が本体部１ａから取り外し不能となるため、ワンウェイネジ６１により複数箇所を取り付けることなく、簡単な作業で取付けを行える。
【００５４】
また、収納ケース５０を開放不能な状態で固着する固着手段と、本体部１ａに対して収納ケース５０を取り外し不能に取り付ける取付手段とが、同一のワンウェイネジ６１にて構成されているため、収納ケースの閉塞、及び本体部１ａへの取付けを容易に行うことが出来るばかりか、収納ケース５０が、ワンウェイネジ６１による本体部１ａへの取付け同時に開放不能に固着されるように構成されているため、作業性が向上する。
【００５５】
また、収納ケース５０には、固着手段にて上部ケース５１と下部ケース５２とを開放不能に固着するための封止片６９、６３が、それぞれ両側に複数ずつ設けられているため、メンテナンス時等、収納ケース５０の開放や本体部１ａからの取り外しが必要になった場合においても、再度収納ケース５０を開放不能に、かつ本体部１ａに対して取り外し不能に固着することが出来る。
【００５６】
また、本実施例のように、固着手段としてのワンウェイネジ６１によるによる収納ケース５０の閉塞が、該収納ケース５０の両端部における略中央部を挟んで互いに対向する箇所（例えば図３中左側の最上部から１つ下の封止片６９と、図３中右側の最下部から１つ上の封止片６９）にて行われることが好ましい。このようにすれば、固着手段としてのワンウェイネジ６１により閉塞された状態の収納ケース５０を開放しようとした際に隙間が開きにくい状態とすることが出来る。
【００５７】
さらに、これら封止片６３、６９は、上部ケース５１及び下部ケース５２の側方より突出するように形成されていることから、取り外しや開放を必要とする際に制御基板４０を覆う重要な部位を破壊することなく、封止片６９、６３を切り離すようにして取り外しや開放を行えるため、収納ケース５０を繰り返し使用することが可能となる。
【００５８】
また、このような固着手段や取付手段は、特に上記したようなワンウェイネジ６１を用いた固着方法に限らず種々に変形可能であり、例えば図９（ａ）（ｂ）に示されるような従来公知のブラインドリベット等を用いてもよい。このリベット９０はアルミニウム製で、内部には貫通路９１が形成されており、この貫通路９１内には引きピン９２が挿通可能とされている。引きピン９２の一端部には、貫通路９１の内径よりも大径の拡径部９２ａが形成されているとともに、この拡径部９２ａの基部には貫通路９１の内径よりも小径の折曲部９２ｂが形成されている。
【００５９】
そして図９（ａ）の状態から所定の工具を使用して引きピン９２を図９（ｂ）中矢印方向に引くと、引き込まれた拡径部９２ａがリベット９０下端部に係止され、リベット９０の端部が変形される。さらに引き込まれた拡径部９２ａの移動が貫通路９１における下部位置にて規制された時点で、リベット９０の変形した端部とリベット９０の頭部とにより封止片６９と封止片６３とが挟持された状態となり、さらに引きピン９２を強く引っ張ることにより、折曲部９２ｂから先端部が折れて分離し、取り外し不能な状態に固着されることになる。
【００６０】
このような固着手段によるリベット９０を用いた方法にあっても、前記ワンウェイネジ６１を用いた固着と同様の作用、効果を得ることが出来る。
【００６１】
前記各実施例における各要素は、本発明に対して以下のように対応している。
【００６２】
本発明の請求項１は、表示状態が変化可能な可変表示装置（３）における表示結果を導出表示させ、該可変表示装置（３）の表示結果が予め定められた特定の表示態様となった場合に所定の有価価値を遊技者に付与する等の遊技制御を司る制御装置が実装された制御基板（４０）が、開放可能な収納ケース（５０）により収納された状態で筐体（本体部１ａ）内に設けられたスロットマシン（１）であって、固着手段（ワンウェイネジ６１、リベット９０）により開放不能に固着出来るとともに、取付手段（ワンウェイネジ６１、リベット９０）により前記筐体の所定箇所に対して取り外し不能に取付け出来るように構成されており、前記固着手段（ワンウェイネジ６１、リベット９０）による固着後における開放、及び前記取付手段（ワンウェイネジ６１、リベット９０）による取付け後における筐体からの取り外しの際に、その少なくとも一部が外部から認識可能な機械的変形を伴うようになっている。
【００６３】
本発明の請求項２は、前記取付手段（ワンウェイネジ６１、リベット９０）による収納ケース（５０）の筐体（本体部１ａ）への取付けにより、前記収納ケース（５０）が開放不能に固着されるようになっている。
【００６４】
本発明の請求項３は、前記固着手段（ワンウェイネジ６１、リベット９０）による収納ケース（５０）の閉塞、及び前記取付手段（ワンウェイネジ６１、リベット９０）による筐体（本体部１ａ）への取付けが複数回行えるようになっている。
【００６５】
本発明の請求項４は、前記固着手段（ワンウェイネジ６１、リベット９０）による収納ケースの閉塞、及び前記取付手段（ワンウェイネジ６１、リベット９０）による収納ケース（５０）の筐体（本体部１ａ）への取付けのうち、少なくとも最初と最後が前記固着手段（ワンウェイネジ６１、リベット９０）による収納ケース（５０）の閉塞のみである。
【００６６】
本発明の請求項５は、少なくとも前記固着手段（ワンウェイネジ６１、リベット９０）による収納ケース（５０）の閉塞が、該収納ケース（５０）の両端部における略中央部を挟んで互いに対向する箇所にて行われている。
【００６７】
本発明の請求項６は、前記収納ケース（５０）の一端側が前記固着手段（ワンウェイネジ６１、リベット９０）により開放不能に固着されており、また、他端側が前記取付手段（ワンウェイネジ６１、リベット９０）により開放不能に、かつ、筐体（本体部１ａ）の所定箇所に取り外し不能に取付けられている。
【００６８】
本発明の請求項７は、前記収納ケース（５０）は、その一端側に前記筐体（本体部１ａ）の所定箇所に形成された係止溝（切欠溝７７）に対して係脱可能な係止部（係止ピン５９）を有しており、他端側を前記取付手段（ワンウェイネジ６１、リベット９０）により開放不能に、かつ、筐体（本体部１ａ）の所定箇所に取り外し不能に取付けることで、前記係止部（係止ピン５９）の前記係止溝（切欠溝７７）からの逸脱が不能となり、筐体（本体部１ａ）からの取り外しが不可となるようになっている。
【００６９】
本発明の請求項８は、前記固着手段、及び前記取付手段が、一方向にのみ回動可能なネジ（ワンウェイネジ６１）である。
【００７０】
以上、本発明の実施例を図面により説明してきたが、具体的な構成はこれら実施例に限られるものではなく、本発明の要旨を逸脱しない範囲における変更や追加があっても本発明に含まれる。
【００７１】
例えば、上記実施例における収納ケース５０は、本体部１ａの上部所定箇所に固着されていたが、取付け箇所等は任意であり、例えば前面パネル１ｂの裏面所定箇所等に取り外し不能に固着されてもよい。
【００７２】
また、上記実施例においては、１つのワンウェイネジ６１が、固定手段及び取付手段としての機能を備えるようになっていたが、それぞれ別の部材により構成されていてもよい。
【００７３】
【発明の効果】
本発明は以下の効果を奏する。
【００７４】
（ａ）請求項１項の発明によれば、制御基板が収納ケースにより覆われた状態で本体に固着されることにより、制御装置等への不正を困難とすることが出来るとともに、固着手段により収納ケースが開放不能に、かつ本体に取り外し不能に取り付けられると、収納ケースを開放したり本体から取り外す際には、収納ケースの一部が破壊されて機械的な変形を伴うことにより痕跡が確実に残ることになるため、不正が行われた可能性があることが外部から直ちに発見出来るようになり、不正行為を効果的に抑制出来ることになる。また、収納ケースの係止部を係止させ、第１の封止部及び固定部を固着手段により固着するのみで、収納ケースを筐体に対して取り外し不能に取り付け出来るため、取付けの作業性が向上する。また、例えば、メーカーから店舗への出荷時や店舗からメーカーへの返品時等において収納ケースを開放不能な状態とすることができるので、スロットマシンの本体と収納ケースとを別送する場合でも、制御基板を収納ケースに収納した状態で安全に輸送できる。
【図面の簡単な説明】
【図１】本発明の適用されたスロットマシンを示す正面図である。
【図２】図１のスロットマシンの筐体内部構造を示す正面図である。
【図３】収納ケースを示す正面図及び平面図である。
【図４】図３のＡ−Ａ断面図である。
【図５】上部ケースと下部ケースの固着手段による固着状態を示す断面図である。
【図６】収納ケースの筐体への取付け状態を示す図である。
【図７】（ａ）及び（ｂ）は、筐体に固着された収納ケースの取付部材を示す斜視図である。
【図８】取付部材と収納ケースとの固着状態を示す断面図である。
【図９】固着手段及び取付手段の他の一例を示す断面図である。
【符号の説明】
１              スロットマシン
１ａ            本体部
１ｂ            前面パネル
２              表示窓
３              可変表示装置
４              コイン投入口
５              可変表示部
５Ｌ            左可変表示部
５Ｃ            中可変表示部
５Ｒ            右可変表示部
６              クレジット表示器
７              クレジット操作ボタン
８              スタートランプ
９              スタートレバー
１０            有効ライン表示ランプ
１１Ｌ          停止ボタン
１１Ｃ          停止ボタン
１１Ｒ          停止ボタン
１２Ｌ          左操作有効ランプ
１２Ｃ          中操作有効ランプ
１２Ｒ          右操作有効ランプ
１３            精算ボタン
１４            ゲーム回数表示器
１５            払出数表示器
１６            施錠装置
１７            遊技効果ランプ
１８            ゲームオーバランプ
１９Ｌ          リール
１９Ｃ          リール
１９Ｒ          リール
２０Ｌ          リール駆動モータ
２０Ｃ          リール駆動モータ
２０Ｒ          リール駆動モータ
２１Ｌ          リール位置検出センサ
２１Ｃ          リール位置検出センサ
２１Ｒ          リール位置検出センサ
２２            コイン貯留タンク
２３            案内レール
２４            コイン払出モータ
２５            コイン払出口
２６            コイン貯留皿
２７            コインセンサ
２８            確率設定スイッチ
２９            電源スイッチ
３０            リセットスイッチ
３１            電源ユニット
３２            キー差込口
４０            制御基板
５０            収納ケース
５１            上部ケース
５１ａ          底板
５１ｃ、５１ｃ’側板
５２            下部ケース
５２ａ          底板
５２ｃ、５２ｃ’側板
５３            支柱
５３ａ          段部
５４            孔部
５５            リブ
５６、５６’    凸部材
５７            開口
５８            凹部
５９            係止ピン
６０            係合片
６０ａ          係合凸部
６１            ワンウェイネジ
６２            ネジ孔
６３            封止片
６４            貫通孔
６５            保持片
６６            係止片
６６ａ          係止爪
６７            凹部
６８            貫通孔
６９            封止片
７０            規制片
７１            コネクタ
７２            開口部
７３            孔部
７４            背面板
７５            取付部材
７５ａ          取付片
７５ｂ          基板
７６            取付部材
７６ａ          取付片
７６ｂ          基板
７７            切欠溝
７８            リベット
７９            係合穴
８０            ネジ孔
８１            固定片
９０            リベット
９１            貫通路
９２            ピン
９２ａ          拡径部
９２ｂ          折曲部
【図１】
0003587771.tif 000002
【図２】
0003587771.tif 000003
【図３】
0003587771.tif 000004
【図４】
0003587771.tif 000005
【図５】
0003587771.tif 000006
【図６】
0003587771.tif 000007
【図７】
0003587771.tif 000008
【図８】
0003587771.tif 000009
【図９】
0003587771.tif 000010